(57)【要約】      （修正有）【課題】台座部に対して身飾品を装着することで、ボタンを簡単、かつ迅速に着脱可能とし、かつ着脱の際に安全で部品点数を最小限とした身飾品の留め具を提供する。【解決手段】ボタン、カフスボタン、バッチ、ブローチ、アクセサリー等の身飾品を衣類、カバン類、帽子類等の素材に着脱自在に取り付ける身飾品の留め具であって、身飾品は、台座部に設けられる刺し込み部を係止する外周側の係止用凹部を有し、台座部２は、円弧形状をなす円形部２１を介して先端２５が外周方向に形成される刺し込み部２ａ，２ｂを有し、身飾品の留め具を装着する素材に刺し込み部の先端から刺し込み、台座部を回転させてから、刺し込み部の円形部を身飾品外周側の係止用凹部に半径方向の弾性力を働かさせて係止させる。【選択図】図２
0003194318.tif 000002
【実用新案登録請求の範囲】
【請求項１】
ボタン、カフスボタン、バッチ、ブローチ、アクセサリー等の身飾品を衣類、カバン類、帽子類等の素材に着脱自在に取り付ける身飾品の留め具であって、前記身飾品は、台座部に設けられる刺し込み部を係止する外周側の係止用凹部を有し、前記台座部は、円弧形状をなす円形部を介して先端が外周方向に形成される刺し込み部を有し、前記身飾品の留め具を装着する素材に前記刺し込み部の先端から刺し込み、前記台座部を回転させてから、前記刺し込み部の円形部を前記外周側の係止用凹部に半径方向の弾性力を働かさせて係止させることを特徴とする身飾品の留め具。
【請求項２】
前記台座部は、前記台座部の下部に設けられる留め具台座部と、前記台座部の刺し込み部を有し、前記台座部の刺し込み部は、前記留め具台座部に立設される刺し込み部連結部と、前記刺し込み部連結部の上方先端から曲げられて円弧形状をなす円形部と、前記円形部の径が大きくなる外周方向にその先端が先鋭な先端部を有することを特徴とする請求項１記載の身飾品の留め具。
【請求項３】
前記外周側の係止用凹部は、前記身飾品底面に設けられた一対の外周側の係止用凹部と、中央の係止用凹部からなり、前記一対の外周側の係止用凹部は前記刺し込み部の円形部の両端を係止し、前記中央の係止用凹部は前記刺し込み部の直線部を係止することを特徴とする請求項１又は２記載の身飾品の留め具。
【請求項４】
前記身飾品の係止用凹部は、直線状に形成され、前記刺し込み部を直線状に係止することを特徴とする請求項１又は２記載の身飾品の留め具。
【考案の詳細な説明】
【技術分野】
【０００１】
本考案は、ボタン、カフスボタン、バッチ、ブローチ、アクセサリー等の身飾品を衣類、カバン類、帽子類などの素材に着脱自在に取り付ける身飾品の留め具に関する。
【背景技術】
【０００２】
従来、ボタンは衣類や鞄、靴、カーテン等の布地や革地を重ね合わせて留める留め具として使用されている。また最近では飾りボタンのようにアクセサリーやキーホルダー、小物入れ、写真立て、クッション等、装飾目的でボタンを使用する人が増え、それに従って、水牛、ナット、貝、木、革、プラスチック、金属等の素材やハート型、星型、正方形型等の様々な種類のボタンが販売されている。
ボタンをつけるには、針と糸を用いて、平行縫いやクロス縫い、鳥足縫い等の縫い方で衣類等の所定箇所に外れないように縫いつける。しかし、ボタンを衣類等に縫いつけるには時間がかかるうえ、外出先でボタンが外れた場合には、再度ボタンを縫い付けるために、裁縫道具が必要となり、手間と労力が必要となってしまう。また、飾りボタンのようにアクセサリー感覚でボタンを取り替えたい場合、簡単かつ迅速に取り外し、取り付けられることが重要であるが、針と糸を用いたボタンの付け方では、取り外し、取り付けに時間がかかり、またボタンを取り替えるたびに何度も生地に針を通す必要があるため、取り付ける生地を傷めてしまう可能性がある。
特許文献１は、留め機能を有するボタンに関するもので、ボタンの糸孔１ａにビニール製のアーチ足２、取付ピン３を設けて、取付ピン３をボタン１と一緒に衣類の所定箇所に表面から刺し込んで取付ピン３の先端部を衣類の裏側でピン留め具４に嵌合することにより、針や糸を用いずに、衣類に止着されることを特徴としている（その段落０００７、図４）。
また特許文献２では、二又状ピン、ボタンカバー部、ボタン台座部に関するもので、二又状ピンのピン先端を布地の裏側から通して、その後、ピン先端にボタン台座部、ボタンカバー部を固定することで、ボタンを衣類に簡単に取り付け、取外しができることを特徴としている（その段落０００７）。
【先行技術文献】
【特許文献】
【０００３】
【特許文献１】実用新案登録第３０７０５７６号公報
【特許文献２】実開平０６−０１７５０９号公報
【考案の概要】
【考案が解決しようとする課題】
【０００４】
しかしながら、留め具機能を有するボタンに関するもの（特許文献１）は、ボタンを取り替えるたびに、取付ピン３を衣類から取り外し、ボタンの糸孔１ａにビニール製のアーチ足２を取り付ける必要があるため、ボタンの取り替え作業が煩雑で、かつ、取り替えるたびに衣類に取付ピン３を通し、生地を傷めてしまう可能性がある。
また、留め具機能を有するボタンに関するもの（特許文献１）、二又状ピン、ボタンカバー部、ボタン台座部に関するもの（特許文献２）は、ボタンの取り付け、取り外しの際にピンの針先端が布地表面垂直に露出するため、取扱いが難しく、危険である。その上、必要な部品点数が多いため、ボタンの取り付け、取り外しが煩雑となり、製造コストが高くなってしまう。
さらに、ボタン、カフスボタン、バッチ、ブローチ、アクセサリー等の身飾品を衣類、カバン類、帽子類などの素材に取り付ける場合、素材のための厚みを考慮して弾力性をもって取り付ける必要があるが（通常のボタンでは糸がこの役割を果たす。）、上記従来公報のものでは、身飾品を素材を介して弾力性をもって取り付けることができない問題を有する。
【０００５】
そこで本考案の目的は、ボタン等の身飾品を衣類等の素材を介して弾力性をもって取り付けることで着脱が容易かつ安全な身飾品の留め具を提供することにある。
【課題を解決するための手段】
【０００６】
本考案の身飾品の留め具は、ボタン、カフスボタン、バッチ、ブローチ、アクセサリー等の身飾品を衣類、カバン類、帽子類等の素材に着脱自在に取り付ける身飾品の留め具であって、前記身飾品は、台座部に設けられる刺し込み部を係止する外周側の係止用凹部を有し、前記台座部は、円弧形状をなす円形部を介して先端が外周方向に形成される刺し込み部を有し、前記身飾品の留め具を装着する素材に前記刺し込み部の先端から刺し込み、前記台座部を回転させてから、前記刺し込み部の円形部を前記外周側の係止用凹部に半径方向の弾性力を働かさせて係止させることを特徴とする。
刺し込み部の円弧形状をなす円形部の長さや形状は、衣類、カバン類、帽子類などの素材に応じて変更する。
本考案においては、前記台座部の刺し込み部を衣類等の素材にその先端から刺し込み、前記台座部の刺し込み部を回転させてから、前記外周側の係止用凹部に弾性力を半径方向に働かさせて係止させる。すなわち、通常のボタンの縫合の場合と比較すると、前記台座部の刺し込み部を衣類等の素材にその先端から刺し込み回転させると、その回転突出した部分が通常のボタンの縫合の糸の部分の役割を果たして弾力性を持って取り付けることが出来る。前記刺し込み部の先端は円周方向であるので、従来のように外側に突出しておらず、安全な取り付け作業で取り付けることができる。したがって、弾力性を持って連結されて、着脱が容易かつ安全な身飾品の留め具となる。
【０００７】
本考案としては、前記台座部は、前記台座部の下部に設けられる留め具台座部と、前記台座部の刺し込み部を有し、前記台座部の刺し込み部は、前記留め具台座部に立設される刺し込み部連結部と、前記刺し込み部連結部の上方先端から曲げられて円弧形状をなす円形部と、前記円形部の径が大きくなる外周方向にその先端が先鋭な先端部を有することを特徴とする。
本考案においては、前記台座部に前記身飾品を装着する際に、前記台座部は前記刺し込み部連結部を中心にして円形状の円形部が縮径し、弾性力を半径方向に働かさせて外周側の係止用凹部に係止されるので、取り付け中心の位置決めが確認でき、着脱が容易になる。
【０００８】
本考案としては、前記外周側の係止用凹部は、前記身飾品底面に設けられた一対の外周側の係止用凹部と、中央の係止用凹部からなり、前記一対の外周側の係止用凹部は前記刺し込み部の円形部の両端を係止し、前記中央の係止用凹部は前記刺し込み部の直線部を係止することを特徴とする。
本考案によれば、前記一対の外周側の係止用凹部と前記中央の係止用凹部の３箇所で固定することによって、前記台座部と前記身飾品を固定しているため、素材を介して台座部は外れ難い構造となる。
【０００９】
本考案としては、前記身飾品の係止用凹部は、直線状に形成され、前記刺し込み部を直線状に係止することを特徴とする。
本考案によれば、前記台座部の刺し込み部を衣類等の素材にその先端から刺し込み、前記台座部の刺し込み部を回転させてから、前記身飾品の外周側の係止用凹部に直線状に係止されるので、弾性力が強く発揮された状態で取り付けることができる。
【００１０】
本考案の前記中央の係止用凹部は、前記直線部を係止するとともに、前記台座部に対する前記身飾品の位置を固定することを特徴とする。
前記中央の係止用凹部が前記身飾品の位置を決める役割と外周側の係止用凹部としての役割の２役を担っているため、前記身飾品の留め具を製造する際の部品点数が少なく簡単、かつ安価に製造することができる。
【００１１】
本考案の前記台座部は前記素材から着脱可能であることを特徴とする。
使用者の好みによって時間、場所を選ばず、衣類等の適当な箇所に取り付け、取り外しが可能となる。
【００１２】
本考案の前記身飾品は前記台座部から着脱可能であることを特徴とする。
身飾品の着脱作業が簡単であるため、１つの台座部に対して複数種類の身飾品を取り替えることが可能で、季節やＴＰＯに応じて、もしくはその日の気分、その場の雰囲気に合わせて身飾品を自由自在に取り替えることができる。
【００１３】
本考案の前記台座部は弾性体であることを特徴とする。
【考案の効果】
【００１４】
本考案によれば、前記身飾品の留め具が前記身飾品と前記台座部の２点からなるため、前記身飾品の留め具を製造する際の部品点数が少なく簡単、かつ安価に製造することができる。
また、前記台座部は、前記身飾品の留め具を装着する素材（衣類等）に前記先端を裏面から刺し込み、前記台座部を回転することによって、前記台座部が前記素材に止着されるため、前記先端が前記素材の表面に垂直に露出せず、安全、かつ簡単に行うことができる。
そして、前記身飾品をスライドして前記台座部に取り付け、取り外しすることが可能であるため、前記身飾品の着脱作業が簡単で、季節やＴＰＯに応じて、もしくはその日の気分、その場の雰囲気に合わせて１つの台座部に対して複数種類の身飾品を自由自在に取り替えることができる。
【図面の簡単な説明】
【００１５】
【図１】本考案の第１の実施形態の身飾品の留め具１０を示す斜視図である。
【図２】上記第１の実施形態の台座部２を示す図であり、（ａ）は台座部２を示す斜視図であり、（ｂ）は台座部２を上から見た平面図である。
【図３】上記第１の実施形態の身飾品１を示す図であり、（ａ）は身飾品１を示す斜視図であり、（ｂ）は身飾品１を下から見た底面図であり、（ｃ）は（ｂ）のＡ−Ａ断面図である。
【図４】上記第１の実施形態のボタンをつける素材３（衣類等）に台座部２を取り付ける状態を示す平面図であり、（ａ）は先端部２５を素材３に刺し込んだ状態を示す平面図であり、（ｂ）は円形部２１が素材３の表面に出てきた状態を示す平面図であり、（ｃ）は台座部２を素材３に取り付けた後の状態を示す平面図である。
【図５】上記第１の実施形態の台座部２に身飾品１を取り付ける状態を示す側面図であり、（ａ）は台座部２に身飾品１を取り付ける前の状態を示す側面図であり、（ｂ）は台座部２に身飾品１を取り付けた後の状態を示す側面図である。
【図６】上記第１の実施形態の台座部２に身飾品１を取り付ける状態を下から見た底面図であり、（ａ）は台座部２に身飾品１を取り付ける前の状態を示す底面図であり、（ｂ）は台座部２に身飾品１を取り付ける途中の状態を示す底面図であり、（ｃ）は台座部２に身飾品１を取り付けた後の状態を示す底面図である。
【図７】他の実施形態の身飾品４を示す図であり、（ａ）は身飾品４を下から見た底面図であり、（ｂ）は（ａ）のＢ―Ｂ断面図である。
【図８】他の実施形態の身飾品５を示す断面図である。
【図９】他の実施形態の台座部２を示す斜視図である。
【図１０】本考案の第２の実施形態の身飾品の留め具１００を示す側面図である。
【図１１】上記第２の実施形態の身飾品１と台座部２を示す側面図であり、（ａ）は身飾品１を示す側面図であり、（ｂ）は台座部２を示す側面図である。
【図１２】上記第２の実施形態の身飾品１を示す縦断面図である。
【図１３】上記第２の実施形態の台座部２を上から見た平面図である。
【図１４】上記第２の実施形態の身飾品の留め具１００を取り付ける状態の模式図であり、（ａ）は台座部２に身飾品１を取り付ける前の状態を示す模式図であり、（ｂ）は台座部２に身飾品１を取り付ける途中の状態を示す模式図であり、（ｃ）は台座部２に身飾品１を取り付けた後の状態を示す模式図である。
【考案を実施するための形態】
【００１６】
以下、本考案を実施するための一形態について図面を引用しながら説明する。
【００１７】
図１は、本考案の第１の実施形態の身飾品の留め具１０を示す斜視図であり、図２は、本考案の第１の実施形態の台座部２を示す図であり、（ａ）は台座部２を示す斜視図であり、（ｂ）は台座部２を上から見た平面図である。
【００１８】
本実施形態の身飾品の留め具１０は、身飾品１と台座部２を有しており、ボタンをつける素材３（衣類等）に台座部２を取り付け、身飾品１をスライドして台座部２に取り付け、取り外しすることにより、身飾品１を簡単、迅速に着脱するものである。
【００１９】
前記台座部２は、底面が半球状で、表面が平面状をなす留め具台座部２ｃと、前記留め具台座部２ｃの表面中心から垂直上方に配された刺し込み部連結部２ｂと、前記刺し込み部連結部２ｂの上方先端に連結された刺し込み部上部２ａからなる。前記刺し込み部上部２ａは、前記刺し込み部連結部２ｂの上方先端から曲げられ、直線形状をなす直線部２３と、前記刺し込み部連結部２ｂと前記直線部２３が連結されている側とは反対の一端側に連結されている円弧形状をなす円形部２１と、前記円形部２１の先端に、前記円形部２１から先鋭に先細りし、ピン形状をなす先端部２５とからなる。
【００２０】
前記留め具台座部２ｃは、ボタンをつける布地の裏側から前記先端部２５、前記円形部２１、前記直線部２３、前記刺し込み部連結部２ｂを刺し込んだ場合に、ボタンをつける素材３（衣類等）の裏側に残る部材であり、前記留め具台座部２ｃの底面が身体に間接的、もしくは直接的に接触する可能性があるため、身体を傷つけない形状となっている。例えば、上記半球状だけでなく、半楕円体形状、円柱状、楕円柱状、立方体形状、直方体形状、多面体形状、三角柱形状、五角柱形状、六角柱形状等でもよく、前記留め具台座部２ｃの身体に接触する側の面の角をとることによって危険を回避する。
また、前記留め具台座部２ｃの素材としては、錆が発生しない金属や、金属メッキを施した金属部材、合成樹脂部材、ゴム等があげられ、前記ボタンをつける素材３（衣類等）と一緒に洗濯した場合でも、腐食、変色、劣化に強い素材が用いられる。また、前記先端部２５、前記円形部２１、前記直線部２３、前記刺し込み部連結部２ｂと同様の素材でもよい。
【００２１】
前記刺し込み部連結部２ｂは、前記留め具台座部２ｃの表面中心から垂直上方に配される。前記身飾品の留め具１０が前記素材３に止着された場合、前記素材３（衣類等）の挿通孔に挿通したままの状態になり、従来の糸の役割を担うため、前記刺し込み部連結部２ｂは前記身飾品の留め具１０がぐらつかず、かつ前記身飾品１にボタンホールをかけることができる長さとする。
前記刺し込み部上部２ａは、前記留め具台座部２ｃと前記刺し込み部上部２ａで前記素材３（衣類等）を挟み込んで止着するための部材であり、かつ、前記身飾品１を係止、位置決めするための部材である。
前記刺し込み部上部２ａは、前記直線部２３と前記円形部２１と前記先端部２５からなり、前記直線部２３、前記円形部２１は、前記身飾品１を位置決めし、係止する。
また、前記円形部２１は、前記素材３（衣類等）に前記先端部２５を刺し通す際に、前記先端部２５を前記素材３（衣類等）の表面垂直に露出することなく、安全に刺し通すための部材でもある。
前記先端部２５は、前記素材３（衣類等）に最小限サイズの孔をあけ、前記刺し込み部連結部２ｂ、前記直線部２３、前記円形部２１を前記素材３（衣類等）に通すための部材であり、前記円形部２１から先鋭に先細りし、ピン形状をなす。
前記刺し込み部連結部２ｂ、前記直線部２３、前記円形部２１、前記先端部２５は弾性体からなり、鋼、りん青銅、ベリリウム銅、ゴム、合成樹脂、形状記憶合金、ピアノ線等、力を入れると変形し、力を抜くと元に戻る弾性変形の性質を有しながら、かつ布地や革地などのボタンをつける素材３を貫通する強度を有し、また前記留め具台座部２ｃと同様、ボタンをつける素材３と一緒に洗濯した場合でも、腐食、変色、劣化に強い素材が用いられる。
また、前記刺し込み部連結部２ｂ、前記直線部２３、前記円形部２１、前記先端部２５は同じ素材でも、異なる素材でもよく、例えば、異なる素材であれば、前記先端部２５は前記素材を貫通する強度に優れた素材で、前記刺し込み部連結部２ｂ、前記直線部２３、前記円形部２１は、水や洗剤のような化学物質による劣化に強い素材であってもよい。
【００２２】
図３は、本考案の第１の実施形態の身飾品１を示す図であり、（ａ）は身飾品１を示す斜視図であり、（ｂ）は身飾品１を下から見た底面図であり、（ｃ）は（ｂ）のＡ−Ａ断面図である。
身飾品１の表面１４は、衣類等のボタンの表面にあたるものである。前記身飾品１の素材は、水牛、ナット、貝、木、革、プラスチック、金属等の素材で、形状は上記実施例の円形のほか、楕円型、ハート型、星型、正方形型等、ボタンの用途によって種々選択可能である。
またブローチやバッチ、アクセサリー等に使用できるような宝石や彫金等による装飾がほどこされていてもよい。
【００２３】
前記身飾品１の底面１１には、前記底面１１の半径方向外側に一対の外周側の係止用凹部１２、中央位置に中央の係止用凹部１３が設けられている。
前記一対の外周側の係止用凹部１２は、前記円形部２１の両端を係止する部材であり、断面形状がＵ字型で、その開口は対向した状態で配置される。
また、前記一対の外周側の係止用凹部１２の内側底面間の間隔Ｒ（図３（ｃ））は、円形部２１を平面視した場合の外側直径Ｖ（図２（ｂ））よりも小さくなるように配されている。よって、前記円形部２１が前記一対の外周側の係止用凹部１２に挿入される際に、前記円形部２１が弾性変形し、前記一対の外周側の係止用凹部１２の内側底面を押圧することで前記円形部２１と前記一対の外周側の係止用凹部１２が固定される。
前記中央の係止用凹部１３は、前記直線部２３を係止するとともに、前記身飾品１を前記台座部２にスライドして挿入する際に、前記刺し込み部連結部２ｂと前記中央の係止用凹部１３の端部が当接することで、前記身飾品１を台座部２に対して位置決めするための部材である。前記中央の係止用凹部１３は、断面形状がＵ字型で、その開口は紙面右方向に配置されている前記外周側の係止用凹部１２と対向した状態で配置される。
また、前記中央の係止用凹部１３の内側底面と対向する前記外周側の係止用凹部１２の内側底面の間隔Ｔ（図３（ｃ））は、前記直線部２３と前記円形部２１間の距離Ｕ（図２（ｂ））よりも小さくなるように配されている。よって、前記直線部２３が前記中央の係止用凹部１３に挿入される際に、前記円形部２１と前記直線部２３が弾性変形し、前記外周側の係止用凹部１２、前記中央の係止用凹部１３の内側底面を押圧することで前記円形部２１と前記外周側の係止用凹部１２、前記直線部２３と前記中央の係止用凹部１３が固定される。
前記外周側の係止用凹部１２、前記中央の係止用凹部１３の断面形状は、上記実施例のＵ字型のほか、コの字型、半円型、Ｓ字型等でもよく、前記円形部２１、前記直線部２３が係止できる形状であればよい。
【００２４】
本考案の第１の実施形態の身飾品の留め具１０を使用する場合を図を用いて説明する。図４は、本考案の上記実施形態のボタンをつける素材３（衣類等）に台座部２を取り付ける状態を示す平面図であり、（ａ）は先端部２５を素材３に刺し込んだ状態を示す平面図であり、（ｂ）は円形部２１が素材３の表面に出てきた状態を示す平面図であり、（ｃ）は台座部２を素材３に取り付けた後の状態を示す平面図である。図５は、本考案の上記実施形態の台座部２に身飾品１を取り付ける状態を示す側面図であり、（ａ）は台座部２に身飾品１を取り付ける前の状態を示す側面図であり、（ｂ）は台座部２に身飾品１を取り付けた後の状態を示す側面図である。
【００２５】
図４に示すように、最初にボタンをつける素材３（衣類等）の裏面から前記台座部２の前記先端部２５を刺し通し、前記先端部２５を前記素材３の表面まで挿通する（図４（ａ））。その後、図４（ｂ）の矢印で示されるように、前記留め具台座部２ｃ等を持ち、前記台座部２を回転させ、前記円形部２１を前記素材３の表面に挿通していく。最後に、図４（ｃ）の矢印で示されるように、前記直線部２３を前記素材３の表面に挿通し、前記台座部２を前記素材３に取り付ける。
図５に示すように、前記素材３に取り付けられた前記台座部２は、前記素材３の裏面に前記留め具台座部２ｃが配され、かつ前記刺し込み部上部２ａが前記素材３の表面に配されるため、前記台座部２は前記素材３に止着される。また、前記刺し込み部連結部２ｂは前記素材３の挿通孔に挿通したままの状態となる。
このように、前記台座部２の前記素材３への止着作業は、前記先端部２５を回転して挿通、止着するため、前記先端部２５が素材３の表面に垂直に露出せず、安全、かつ簡単に行うことができる。
また、前記台座部２を取り外す場合は、前記留め具台座部２ｃ等を持ち、前記台座部２を止着する場合とは反対に回転させ、前記刺し込み部上部２ａ、前記刺し込み部連結部２ｂを前記素材３から取り外せば、安全、かつ簡単に台座部２を着脱することができる。
よって、使用者の好みによって時間、場所を選ばず、衣類等の適当な箇所に取り付け、取り外しが可能となる。
【００２６】
次に、台座部２に身飾品１を取り付ける場合を図５、図６を用いて説明する。図６は、本考案の実施形態の台座部２に身飾品１を取り付ける状態を下から見た底面図であり、（ａ）は台座部２に身飾品１を取り付ける前の状態を示す底面図であり、（ｂ）は台座部２に身飾品１を取り付ける途中の状態を示す底面図であり、（ｃ）は台座部２に身飾品１を取り付けた後の状態を示す底面図である。ここで、図６は説明の便宜上、ボタンをつける素材３（衣類等）は省略し、図示していない。
前記ボタンをつける素材３（衣類等）に前記台座部２を取り付けた後、前記身飾品１を前記台座部２にスライドして、固定する（図５（ａ）、図５（ｂ））。
前記身飾品１を前記台座部２に対してスライドすると、前記一対の外周側の係止用凹部１２の内側底面と前記円形部２１の両端が当接し、前記中央の係止用凹部１３の内側底面と前記直線部２３が当接する（図６（ｂ））。前記一対の外周側の係止用凹部１２と前記円形部２１、前記中央の係止用凹部１３と前記直線部２３が当接することによって、前記円形部２１に半径方向内側の力が、そして前記直線部２３に紙面右方向の力が働き、前記円形部２１、前記直線部２３、前記先端部２５が前記円形部２１の半径方向内側に弾性変形する。半径方向内側に弾性変形することで、前記一対の外周側の係止用凹部１２、前記中央の係止用凹部１３の内側に前記円形部２１、前記直線部２３、前記先端部２５が挿入され、スライドすることができる。そのまま前記身飾品１をスライドしていくと、前記中央の係止用凹部１３の半径方向内側の側面Ｗ（図６（ｂ））と前記刺し込み部連結部２ｂが当接し、その位置で前記身飾品１は停止する。前記円形部２１、前記直線部２３、前記先端部２５の弾性力によって前記外周側の係止用凹部１２、前記中央の係止用凹部１３の内側底面は押圧され、この押圧する力で前記円形部２１と前記直線部２３が係止され、前記身飾品１は、台座部２に対して固定される（図６（ｃ））。
このように、本考案の実施形態の身飾品の留め具１０は、前記一対の外周側の係止用凹部１２、前記中央の係止用凹部１３の３箇所で前記台座部２と前記身飾品１を固定しているため、台座部２は外れ難い。
そして、前記円形部２１、前記直線部２３、前記先端部２５の弾性力によって固定しているため、複雑な係止用部材を使用する必要がなく、また前記中央の係止用凹部１３が前記身飾品１の位置を決める役割と外周側の係止用凹部としての役割の２役を担っているため、前記身飾品の留め具１０を製造する際の部品点数が少なく簡単、かつ安価に製造することができる。
【００２７】
前記身飾品１を取り外す場合には、前記身飾品１を取り付ける場合と反対の方向にスライドさせることで、簡単に取り外すことができる。前記身飾品１を取り外した場合は、前記円形部２１、前記直線部２３、前記先端部２５は前記一対の外周側の係止用凹部１２、前記中央の係止用凹部１３による力が取り除かれ、元の状態の形に戻る。
前記身飾品の留め具１０の部材が、前記身飾品１と前記台座部２の２つであり、部品点数が少ないため、前記身飾品１の取り付け、取外し作業が簡単で、かつ製造コストを抑えることができる。
また、身飾品１の着脱作業が簡単であるため、１つの台座部２に対して複数種類の身飾品１を取り替えることが可能で、季節やＴＰＯに応じて、もしくはその日の気分、その場の雰囲気に合わせて身飾品１を自由自在に取り替えることができる。
【００２８】
図７は本考案の他の実施形態の身飾品４を示す図であり、（ａ）は身飾品４を下から見た底面図であり、（ｂ）は（ａ）のＢ―Ｂ断面図である。
身飾品４は当該身飾品４の底面に外周凹部４１と中心凹部４２が設けられている。前記外周凹部４１は、前記身飾品４の底面外周に設けられ、前記中心凹部４２は前記身飾品４の底面中心位置に設けられる。前記外周凹部４１の開口は前記外周凹部４１の底面よりも前記身飾品１の半径方向内側位置に形成され、よって前記外周凹部４１の断面形状は平行四辺形の形状となっている。前記中心凹部４２の開口は前記中心凹部４２の底面よりも紙面右側位置に形成され、よって、前記中心凹部４２の断面形状は平行四辺形の形状となっている。前記外周凹部４１の底面、前記中心凹部４２の底面は、前記円形部２１、前記直線部２３、前記先端部２５に略一致する形状からなり、前記外周凹部４１の開口、前記中心凹部４２の開口は、前記円形部２１、前記直線部２３、前記先端部２５の形状よりも半径方向内側に小さいサイズとなる。
身飾品４は弾性体からなり、鋼、りん青銅、ベリリウム銅、ゴム、合成樹脂、形状記憶合金等の素材から形成される。
前記身飾品４を前記台座部２に装着する場合は、前記身飾品４の底面を外側に軽く反らせて、前記円形部２１、前記直線部２３、前記先端部２５を前記身飾品４の前記外周凹部４１と前記中心凹部４２の開口に嵌め込み、その後、前記身飾品４を元の形状に戻す。このように嵌め込むことで、前記円形部２１、前記直線部２３、前記先端部２５は前記外周凹部４１の底面、前記中心凹部４２の底面に固定され、前記外周凹部４１の開口、前記中心凹部４２の開口から外れることがなく、前記身飾品４を簡単に装着することができる。
また前記身飾品４を取り外す場合には、装着する場合と同様に、前記身飾品４の底面を外側に軽く反らせて、前記円形部２１、前記直線部２３、前記先端部２５を前記身飾品４の前記外周凹部４１と前記中心凹部４２の開口から取り外せば、簡単に前記身飾品４を着脱することができる。
【００２９】
図８は本考案の他の実施形態の身飾品５を示す断面図である。
身飾品５は当該身飾品５の底面に円筒形状の穴５３が設けられ、前記穴５３の底面に外周凹部５１と中心凹部５２が設けられている。前記外周凹部５１は、前記穴５３の底面外周に設けられ、前記中心凹部５２は前記穴５３の底面中心位置に設けられる。前記外周凹部５１の開口は前記外周凹部５１の底面よりも前記身飾品１の半径方向内側位置に形成され、よって前記外周凹部５１の断面形状は平行四辺形の形状となっている。前記中心凹部５２の開口は前記中心凹部５２の底面よりも紙面右側位置に形成され、よって、前記中心凹部５２の断面形状は平行四辺形の形状となっている。前記穴５３の内周面には、前記刺し込み部上部２ａに前記身飾品５を回転しながらはめこんだ場合に、前記刺し込み部上部２ａと穴５３が回転するための溝５ａが設けられている。前記外周凹部５１の底面、前記中心凹部５２の底面は、前記円形部２１、前記直線部２３、前記先端部２５に略一致する形状からなり、前記外周凹部５１の開口、前記中心凹部５２の開口は、前記円形部２１、前記直線部２３、前記先端部２５の形状よりも半径方向内側に小さいサイズとなる。
身飾品５は弾性体からなり、鋼、りん青銅、ベリリウム銅、ゴム、合成樹脂、形状記憶合金等の素材から形成される。
前記身飾品５を前記台座部２に装着する場合は、前記身飾品５の前記穴５３に前記刺し込み部上部２ａをはめこみ、回転させ、前記外周凹部５１と前記中心凹部５２の位置と、前記円形部２１、前記直線部２３、前記先端部２５の位置を合わせた後、前記身飾品５の底面を外側に軽く反らせて、前記円形部２１、前記直線部２３、前記先端部２５を前記身飾品５の前記外周凹部５１と前記中心凹部５２の開口に嵌め込み、その後、前記身飾品５を元の形状に戻す。このように嵌め込むことで、前記円形部２１、前記直線部２３、前記先端部２５は前記外周凹部５１の底面、前記中心凹部５２の底面に固定され、前記外周凹部５１の開口、前記中心凹部５２の開口から外れることがなく、前記身飾品５を簡単に装着することができる。
また前記身飾品５を取り外す場合には、装着する場合と同様に、前記身飾品５の底面を外側に軽く反らせて、前記円形部２１、前記直線部２３、前記先端部２５を前記身飾品５の前記外周凹部５１と前記中心凹部５２の開口から取り外せば、簡単に前記身飾品５を着脱することができる。
【００３０】
図９は本考案の他の実施形態の台座部２を示す斜視図である。ここで、同一の符号は、同じ機能を表しており、その説明を省略する。
台座部２は、前記留め具台座部２ｃと、前記留め具台座部２ｃの表面中心から垂直上方に配され、上方へ螺旋状に円弧形状をなす刺し込み部上部２ｄからなる。
身飾品１の底面１１には、前記底面１１の半径方向外側に一対の外周側の係止用凹部１２が設けられ、第１の実施形態の中央の係止用凹部１３は省略することができる。
本考案の実施形態の台座部２を使用する場合、最初にボタンをつける素材３（衣類等）の裏面から前記台座部２の前記先端部２５を刺し通し、前記先端部２５を前記素材３の表面まで挿通する。その後、前記留め具台座部２ｃ等を持ち、前記台座部２を回転させ、前記円形部２１を前記素材３の表面に挿通していき、前記台座部２を前記素材３に取り付ける。
次に、前記身飾品１を前記台座部２に対してスライドすると、前記一対の外周側の係止用凹部１２の内側底面と前記円形部２１の両端が当接しする。前記一対の外周側の係止用凹部１２と前記円形部２１が当接することによって、前記円形部２１に半径方向内側の力が働き、前記円形部２１、前記先端部２５が前記円形部２１の半径方向内側に弾性変形する。半径方向内側に弾性変形することで、前記一対の外周側の係止用凹部１２に前記円形部２１、前記先端部２５が挿入され、スライドすることができる。前記円形部２１、前記先端部２５の弾性力によって前記外周側の係止用凹部１２の内側底面は押圧され、この押圧する力で前記円形部２１が係止され、前記身飾品１は、台座部２に対して固定される。
このように、本考案の他の実施形態の身飾品の留め具１０は、前記一対の外周側の係止用凹部１２で前記台座部２と前記身飾品１を固定しているため、前記中央の係止用凹部１３を用いることなく、簡単な構成で身飾品を製造することができ、製造コストを抑えることができる。
【００３１】
図１０は、本考案の第２の実施形態の身飾品の留め具１００を示す側面図であり、図１１は、第２の実施形態の身飾品１と台座部２を示す側面図であり、（ａ）は身飾品１を示す側面図であり、（ｂ）は台座部２を示す側面図である。図１２は、第２の実施形態の身飾品１を示す縦断面図であり、図１３は、第２の実施形態の台座部２を上から見た平面図である。
ここで、第１の実施形態と同一の符号は、同じ機能を表しており、その説明を省略する。
【００３２】
身飾品１の表面１５は、衣類等のボタンの表面にあたるものであり、本実施形態では円弧状に膨らんだ形態をなしている。前記身飾品１の前記表面１５の形状は、前記身飾品１の底面中央部分に後述する嵌合穴１６を設けられる程度の厚みがあればどのような形状でもよく、例えば、半球状、半楕円体形状、円柱状、楕円柱状、立方体形状、直方体形状、多面体形状、三角柱形状、五角柱形状、六角柱形状等でもよい。
前記身飾品１の底面中央位置には、後述する台座２の刺し込み部上部２ｅを嵌合保持する嵌合穴１６（図１２）が設けられ、前記嵌合穴１６の内周面には、前記刺し込み部上部２ｅに前記身飾品１を回転しながらはめこんだ場合に、前記刺し込み部上部２ｅと嵌合穴１６が嵌合されるための溝１６ａが設けられている。
【００３３】
台座部２は、前記留め具台座部２ｃと、前記留め具台座部２ｃの表面中心から垂直上方に配された刺し込み部連結部２ｂと、前記刺し込み部連結部２ｂの上方先端に連結された刺し込み部上部２ｅからなる。
前記刺し込み部上部２ｅは、前記刺し込み部連結部２ｂの上方先端から曲げられ、直線形状をなす直線部２３と、前記刺し込み部連結部２ｂと前記直線部２３が連結されている側とは反対の一端側に連結され、その一端側から上方に螺旋形状をなす螺旋部２６（図１１（ｂ）、図１３）と、前記螺旋部２６の先端に、前記螺旋部２６から先鋭に先細りし、ピン形状をなす先端部２５とからなる。
前記螺旋部２６の巻き数は、本実施例では２であるが、巻き数は１でも３でもよく、適宜変更可能である。
【００３４】
前記身飾品の留め具１００を使用する場合、第１の実施形態の同様に、最初にボタンをつける素材３（衣類等）の裏面から前記台座部２の前記先端部２５を刺し通し、前記先端部２５を前記素材３の表面まで挿通する。その後、前記留め具台座部２ｃ等を持ち、前記台座部２を回転させ、前記螺旋部２６を前記素材３の表面に挿通していく。最後に、前記直線部２３を前記素材３の表面に挿通し、前記台座部２を前記素材３に取り付ける。
【００３５】
次に、台座部２に身飾品１を取り付ける場合を図１４を用いて説明する。図１４は、第２の実施形態の身飾品の留め具１００を取り付ける状態の模式図であり、（ａ）は台座部２に身飾品１を取り付ける前の状態を示す模式図であり、（ｂ）は台座部２に身飾品１を取り付ける途中の状態を示す模式図であり、（ｃ）は台座部２に身飾品１を取り付けた後の状態を示す模式図である。
ここで、図１４は説明の便宜上、ボタンをつける素材３（衣類等）は省略し、図示していない。
前記ボタンをつける素材３（衣類等）に前記台座部２を取り付けた後、前記身飾品１の前記嵌合穴１６に前記刺し込み部上部２ｅの上部をはめこみ、前記身飾品１を回転しながら挿入していく（図１４（ａ）、図１４（ｂ））。
前記身飾品１を回転すると、前記溝１６ａと前記刺し込み部上部２ｅの前記螺旋部２６が嵌合し、前記身飾品１と前記台座部２が固定される（図１４（ｃ））。
前記身飾品１と前記台座部２を取り外す際には、前記身飾品１を取り付けた場合と反対方向に回転すると取り外すことができる。
前記身飾品の留め具１００の部材が、前記身飾品１と前記台座部２の２つであり、部品点数が少ないため、前記身飾品１の取り付け、取外し作業が簡単で、かつ製造コストを抑えることができる。
また、身飾品１の着脱作業が回転するだけで可能であり、簡単であるため、１つの台座部２に対して複数種類の身飾品１を取り替えることが可能で、季節やＴＰＯに応じて、もしくはその日の気分、その場の雰囲気に合わせて身飾品１を自由自在に取り替えることができる。
【００３６】
以上、本実施の形態では衣類等のボタンの取り付け具として説明したが、ブローチ、バッチ、アクセサリー等の装飾品としても使用可能であり、取り付ける箇所も鞄、靴、カーテン、アクセサリー、キーホルダー、小物入れ、写真立て、クッション等、広く活用できるものである。
【符号の説明】
【００３７】
１                                身飾品、
１０                              身飾品の留め具、
１２                              外周側の係止用凹部、
１３                              中央の係止用凹部、
２                                台座部、
２ａ                              刺し込み部上部、
２ｂ                              刺し込み部連結部、
２ｃ                              留め具台座部、
２１                              円形部、
２３                              直線部、
２５                              先端部
【図１】
0003194318.tif 000003
【図２】
0003194318.tif 000004
【図３】
0003194318.tif 000005
【図４】
0003194318.tif 000006
【図５】
0003194318.tif 000007
【図６】
0003194318.tif 000008
【図７】
0003194318.tif 000009
【図８】
0003194318.tif 000010
【図９】
0003194318.tif 000011
【図１０】
0003194318.tif 000012
【図１１】
0003194318.tif 000013
【図１２】
0003194318.tif 000014
【図１３】
0003194318.tif 000015
【図１４】
0003194318.tif 000016